(57)【要約】【課題】透過率の高い液晶表示装置を使用した場合、暗い環境でバックライトまたはフロントライトを１００％輝度で点灯させると、眩しくて使い辛い。また、携帯電話は屋外等の明るい環境では上記と逆にバックライトを明るくしないと、画像の中間調部分が失われ、表示品位が低下するという問題がある。【解決手段】周囲の明るさを検出する環境照度検出回路を設け、その出力と、表示装置の特性に応じて表示装置の明るさを制御する。【選択図】　図１
2004096593.tif 000002
【特許請求の範囲】
【請求項１】
表示装置と、前記表示装置の照明装置と、前記表示装置及び前記照明装置を制御する制御回路と、周囲の明るさを検出する環境照度検出回路とを備え、周囲の明るさが予め定められた明るさ以下になった場合は前記照明装置の明るさを制限することを特徴とする通信端末装置。
【請求項２】
透過式液晶を用いた表示装置と、前記表示装置の照明装置と、前記表示装置及び前記照明装置を制御する制御回路と、周囲の明るさを検出する環境照度検出回路とを備え、前記照明装置の明るさを周囲の明るさの増加と共に単調増加するよう制御することを特徴とする通信端末装置。
【請求項３】
反射式液晶を用いた表示装置と、前記表示装置の照明装置と、前記表示装置及び前記照明装置を制御する制御回路と、周囲の明るさを検出する環境照度検出回路とを備え、周囲の明るさが予め定められた第１の明るさ以下になった場合、及び周囲の明るさが予め定められた第２の明るさ以上になった場合には、前記照明装置の明るさを制限することを特徴とする通信端末装置。
【請求項４】
半透過反射式の液晶を用いた表示装置と、前記表示装置の照明装置と、前記表示装置及び前記照明装置を制御する制御回路と、周囲の明るさを検出する環境照度検出回路とを備え、周囲の明るさが予め定められた第１の明るさ以下になった場合、及び周囲の明るさが予め定められた第２の明るさ以上になった場合には前記照明装置の明るさを制限することを特徴とする通信端末装置。
【請求項５】
自発光型の表示装置と、前記表示装置を制御する制御回路と、周囲の明るさを検出する環境照度検出回路とを備え、前記表示装置の明るさを周囲の明るさの増加と共に単調増加するよう制御することを特徴とする通信端末装置。
【請求項６】
請求項２、３、または４に記載の通信端末装置において、前記制御回路は前記表示装置の表示内容に応じて前記表示装置用照明装置の明るさ制御特性を変更することを特徴とする通信端末装置。
【請求項７】
請求５に記載の通信端末装置において、前記制御回路は前記表示装置の表示内容に応じて前記表示装置の明るさ制御特性を変更することを特徴とする通信端末装置。
【請求項８】
請求項６、または７に記載の通信端末装置において、表示内容判定部を設け、前記表示内容判定部で前記表示装置の表示が文字または図形を主体とする表示内容か、画像を主体とする表示内容かを判定することを特徴とする通信端末装置。
【請求項９】
表示装置と、前記表示装置の照明装置と、前記表示装置及び前記照明装置を制御する制御回路と、周囲の明るさを検出する環境照度検出回路とを備え、前記制御回路は前記環境照度検出回路の出力と前記表示装置の特性を基に前記照明装置の明るさを制御することを特徴とする通信端末装置。
【請求項１０】
表示装置と、前記表示装置を制御する制御回路と、周囲の明るさを検出する環境照度検出回路とを備え、前記制御回路は前記環境照度検出回路の出力と前記表示装置の特性を基に前記表示装置の明るさを制御することを特徴とする通信端末装置。
【発明の詳細な説明】
【０００１】
【発明の属する技術分野】
本発明は、音声およびデータにより通信を行う通信端末装置に関する。
【０００２】
【従来の技術】
携帯電話や携帯情報端末等のバッテリー電源で動作される端末装置においては使用時間を延ばすため、低消費電力システムが要求されており、消費電力の観点から表示装置の表示デバイスには液晶表示装置が一般的に使用されている。
液晶表示装置は消費電力が少ないというメリットがあるが、バックライト等の照明装置を必要とする。実際には液晶表示装置本体より、このバックライトの方がはるかに多くの電力を消費するため、従来からバックライトの消費電力低減について種々検討されている。
【０００３】
従来の通信端末装置のバックライト消費電力低減方法の一例として、携帯電話で使用されている例を以下に示す。従来の携帯電話は環境照度の明／暗を検出する手段を設け、暗いと判定した時だけバックライトを点灯させるようにしていた。（特許文献１参照）。
【０００４】
【特許文献１】
特開平９−２７８４４号公報　（第２−３頁、第５図）
【０００５】
【発明が解決しようとする課題】
近年、携帯電話用液晶表示装置においては透過モードの画質が重要視されている。その結果、より透過率を向上した液晶表示装置が主流になりつつあり、中には完全な透過式の液晶表示装置を搭載した携帯電話も市販されるに至っている。上述した従来技術では点灯／非点灯を選択するのみであるため、透過率の高い液晶表示装置を使用した場合、暗い環境でバックライトを１００％輝度で点灯させると、眩しくて使い辛いという問題が発生し始めている。
また、携帯電話は屋外等の明るい環境でも使用される。この明るい環境では上記と逆にバックライトを明るくしないと、画像の中間調部分が失われ、表示品位が低下するという問題がある。
【０００６】
本発明の目的は、周囲の明るさに応じて表示装置の明るさを制御することができる通信端末装置を提供することにある。
本発明の他の目的は、バックライト、フロントライト、または階調電圧発生回路の消費電力を低減することができ、長時間連続使用することができる通信端末装置を提供することにある。
【０００７】
【課題を解決するための手段】
上記目的を達成する問題点を解決するため、本発明にかかる端末装置は、周囲の明るさを検出する環境照度検出回路を設け、周囲の明るさが予め定められた明るさ以下になった場合は上記照明装置の明るさを制限する。
また、透過式の液晶表示装置を使用する場合はバックライトの明るさを周囲の明るさの増加と共に単調増加するよう制御する。
また、反射式の液晶表示装置を使用する場合は、周囲の明るさが予め定められた第１の明るさ以下になった場合及び第２の明るさ以上になった場合には前記照明装置の明るさを制限する。
また、半透過反射式の液晶表示装置を使用する場合は周囲の明るさが予め定められた第１の明るさ以下になった場合及び第２の明るさ以上になった場合には前記照明装置の明るさを制限する。
また、自発光型の表示装置を使用する場合は、表示装置の明るさを周囲の明るさの増加と共に単調増加するよう制御する環境照度検出回路と輝度制御回路を設け、前記環境照度検出回路の出力を基に液晶表示装置の採光方式に応じて前記バックライトの明るさを最適に制御する。
さらに、表示装置の表示内容に応じて前記表示装置または、前記表示装置用照明装置の明るさ制御特性を変更する。
【０００８】
【発明の実施の形態】
以下、本発明の実施の形態について、幾つかの実施例を用い、図を参照して説明する。
図１は本発明の第１の実施例にかかる通信端末装置の構成例を示すブロック図であり、通信端末装置の一例として携帯電話に適用した場合を示している。図において、１はアンテナ、２は無線回路、３は符号復号処理回路、４はマイク、５はレシーバ、６は透過式液晶表示装置、７はキー入力装置、８はメモリ装置、９はＣＰＵを主体とする制御回路、１０は輝度制御回路、１１はバックライト、１５はスピーカ、１６は環境照度検出回路である。
【０００９】
以下、各部の動作について説明する。
アンテナ１は、空中を伝送されてきた電波を受信し、高周波電気信号に変換し、無線回路２に入力する。また、これとは逆に、無線回路２から出力された高周波電気信号を電波に変換して空中に放出する。無線回路２は、制御回路９の指示に基づき、アンテナ１で受信した高周波電気信号を復調し、符号復号処理回路３に入力する。また無線回路２は、符号復号処理回路３の出力信号に変調処理を施し、高周波電気信号に変換してアンテナ１に出力する。
符号復号処理回路３は、制御回路９の制御に従って無線回路２の出力信号に復号処理を施し、音声データはレシーバ５に出力し、文字や画像データは制御回路９に出力する。また、符号復号処理回路３はマイク４から入力されたユーザの声またはユーザがキー７を操作して編集した文字や画像データに符号化処理を施し、無線回路２を通じてアンテナ１から空中に放出する。
【００１０】
制御回路９は、符号復号処理回路３、無線回路２及びアンテナ１を使用して着信待ちを行い、着信があった場合はスピーカ１５からアラーム等の着信音またはメロディを発してユーザに着信があったことを通知すると共に、発信元の電話番号または電子メールアドレスを液晶表示装置６に表示する。そして、ユーザがキー７を操作することにより、通話または受信した電子メールを閲覧することができるように符号復号処理回路３、無線回路２、透過式液晶表示装置６、輝度制御回路１０を制御する。
また、制御回路９はユーザがキー７を操作して入力した電話番号や電子メールを液晶表示装置６に表示すると共に符号復号処理回路３、無線回路２を制御して発呼を行い、相手先との通話または電子メールの送受信を行う。
さらに、本発明による携帯電話の制御回路９は環境照度検出回路１６の出力に応じてバックライト１１の制御値を算出し、その算出結果に基づきバックライト１１の点灯／非点灯及び、輝度を制御する機能を有している。環境照度検出回路１６は例えば、フォトトランジスタやフォトダイオードを使用した明るさセンサーを使用した汎用品で構わない。
【００１１】
次に、透過式液晶表示装置６の構成例について、図２を用いて説明する。
図２は本発明の第１の実施例にかかる通信端末装置に使用される透過式液晶表示装置の一実施例を示す側面図である。本方式の液晶表示装置は透過率が良いため、室内等の低照度から中照度の環境において、高品位な画像表示が可能である。図２において、６１は上側偏光板、６２は上側ガラス基板、６３は画素部、６４は下側ガラス基板、６５は下側偏光板である。
以下、画像の表示原理について説明する。バックライト１１から出射された光は下側偏光板６５を透過することにより一方向の偏光成分の光となり、下側ガラス基板６４を通過し、画素部６４に到達する。画素部６３においては、表示画像に基づいて画素毎に入射光に偏光を施すことにより、画素部６３で偏光を施した画素を通過した光が上側偏光板６１で遮光されるため、画像表示が可能となる。また、本実施例はＲ、Ｇ、Ｂの各画素を有し、カラー表示が可能な液晶表示装置を使用する場合の例である。
【００１２】
次に、バックライト１１及びバックライト輝度制御回路１０の構成例について、図３を用いて説明する。図３は本発明の第１の実施例にかかる通信端末装置に使用されるバックライト及び輝度制御回路の一実施例を示す構成図である。図３において、１１１は光源用の白色ＬＥＤ、１１２は導光板、１０１はセレクタ、Ｒ１〜Ｒ４は抵抗である。導光板１１２は白色ＬＥＤ１１１から出射された光を内部に導きながらフレネル面で反射させることにより、透過式液晶表示装置６の全面を均一に照明する役割を果す。輝度制御回路１０内の抵抗Ｒ１〜Ｒ４は白色ＬＥＤ１１１の電流を制限するのものであり、これらの抵抗値によって所望の明るさを得るための電流が流れるよう、予め、適切な値に設定しておく。そして、制御回路６の指示に基づき、セレクタ１０１が抵抗Ｒ１〜Ｒ４を選択することによってバックライト１１の輝度を所望の値に設定することを可能にしている。
【００１３】
以下、環境照度を検出してから、バックライト１１の制御特性を算出するまでの一連の動作例について図４〜図６を参照しながら説明する。
図４は本発明の第１の実施例にかかる通信端末装置の制御回路による輝度制御回路の制御特性の実施例を示すテーブルである。図４には環境照度（ｌｘ）範囲、バックライト輝度制御回路１０内の抵抗Ｒ１〜Ｒ４の内の選択された抵抗、及び明るさ（％）を示す。Ｎｏ．１の条件は環境照度が０〜１０（ｌｘ）のとき抵抗Ｒ１を選択するものとする。また、Ｎｏ．２の条件は環境照度が１１〜１００（ｌｘ）のとき抵抗Ｒ２を選択するものとする。また、Ｎｏ．３の条件は環境照度が１０１〜１０００（ｌｘ）のとき抵抗Ｒ３を選択するものとする。また、１００１（ｌｘ）以上の時は抵抗Ｒ４を選択するよう設定したとする。
抵抗Ｒ１〜Ｒ４の抵抗値はバックライト１１の許容最大輝度を１００％とすると、Ｒ１選択時には許容最大輝度の２５％、Ｒ２選択時には５０％、Ｒ３選択時には７５％、Ｒ４選択時に１００％の輝度になるように設定しておくものとする。
【００１４】
次に、制御回路９での抵抗Ｒ１〜Ｒ４を選択するためのフローを図５に示す。
図５は本発明の第１の実施例にかかる通信端末装置の制御回路による輝度制御回路の制御処理動作の実施例を示すフローチャートである。まず、ステップ５０１で、環境照度検出回路１６の出力が”０〜１０（ｌｘ）”かどうか判定を行い、Ｙｅｓの場合は、ステップ５０２で、輝度制御回路１０に対して抵抗Ｒ１（２５％輝度）を選択するよう指示する。Ｎｏの場合には、ステップ５０３で、環境照度検出回路１６の出力が”１１〜１００（ｌｘ）”かどうか判定を行い、Ｙｅｓの場合は、ステップ５０４で、輝度制御回路１０に対して抵抗Ｒ２（５０％輝度）を選択するよう指示する。Ｎｏの場合には、ステップ５０５で、環境照度検出回路１６の出力が”１０１〜１０００（ｌｘ）”かどうか判定を行い、Ｙｅｓの場合は、ステップ５０６で、輝度制御回路１０に対して抵抗Ｒ３（７５％輝度）を選択するよう指示する。Ｎｏの場合には、ステップ５０７で、環境照度検出回路１６の出力が”１００１（ｌｘ）以上”かどうか判定を行い、Ｙｅｓの場合は、ステップ５０８で、輝度制御回路１０に対して抵抗Ｒ４（１００％輝度）を選択するよう指示する。万一、Ｎｏの場合には異常な値が検出されたと判断して何もせず、エラー終了か、再度、環境照度検出回路１６の出力を再度取得して処理を数回やり直しても良い。
【００１５】
図６は本発明の第１の実施例にかかる環境照度とバックライト輝度の実施例を示す特性図であり、横軸に環境照度（ｌｘ）を、縦軸にバックライト輝度（％）を示す。図に示すように、制御回路９によって輝度制御回路１０を制御することにより、図６に示すような環境照度に対するバックライトの輝度を得ることができる。本実施例の特性では、１０（ｌｘ）以下の暗い環境では低輝度で目に優しく、環境照度の増加に応じてバックライト１１の輝度も増加させることができ、良好な画像表示が可能となる。さらに、１０００（ｌｘ）以下の暗い環境ではバックライト１１の消費電力を低減することができ、連続使用時間の長時間化が可能となる。
本実施例ではバックライト１１に白色ＬＥＤを１個使用する場合の例について述べたが、これに限られるものでなく、２個以上使用しても良い。また、光源は冷陰極管等の棒状のものを使用しても良いし、ＥＬ等の面状のものを使用しても良い。もちろん、面状光源を使用する場合には導光板１１２は不要である。
また、本実施例ではバックライト１１の白色ＬＥＤの電流を制御する場合の例について説明したが、白色ＬＥＤを複数個使用しており（同一チップに複数個の白色ＬＥＤを実装している場合も含む）、輝度ムラを無視できる場合には、点灯個数を制御しても良い。
さらに、本実施例では、輝度制御回路１０を抵抗Ｒ１〜Ｒ４とセレクタ１０１で構成した場合の例について説明したが、電子的な定電流負荷回路で構成し、制御回路９からコマンドや数値によって白色ＬＥＤ１１１を流れる電流を制御しても良い。
【００１６】
以下、本発明による第２の実施例について図７を用いて説明する。
第１の実施例は透過式液晶表示装置６とバックライト１１を使用する場合の例であるのに対し、本実施例は反射式液晶表示装置１８とフロントライト１７を使用する場合の例である。図８に反射式液晶表示装置１８の構成例を示し、画像表示を行う原理について説明する。尚、図２と同一部分には同一符号を付して重複する説明は省略する。
図７は本発明の第２の実施例にかかる通信端末装置の構成例を示すブロック図である。図７に示すように、フロントライト１７と反射式液晶表示装置１８が使用されている以外は図１の通信端末装置と同じである。
図８は本発明の第２の実施例にかかる通信端末装置に使用される反射式液晶表示装置の一実施例を示す側面図であり、図において、１８１は拡散反射板である。入射した外光を拡散反射板１８１で反射させて画像光として利用する点が上述の実施例で説明した透過式液晶表示装置６と異なる。
【００１７】
以下、動作を説明する。
反射式液晶表示装置１８に入射された外光は上側偏光板６１により特定の偏光方向の光のみとなり、上側ガラス基板６２を通じて画素部６３に到達する。画素部６３では画像情報に応じて画素毎に偏光を施す。画素部を通過した光は下側ガラス基板６４を通じて拡散反射板１８１で拡散及び反射が施され、画像光となって下側ガラス基板６４、画素部６３、上側ガラス基板６２を通じて上側偏光板６１に到達する。上側偏光板６１において、画素部６３で偏光を受けた光が遮光され、画像表示が可能となる。反射式液晶表示装置１８においては、拡散反射板１８が不透明のため、暗い環境での補助光源としては、反射式液晶表示装置１８の上側に配置するタイプのフロントライト１７を使用する。
【００１８】
図９は本発明の第２の実施例にかかる通信端末装置のフロントライト及び輝度制御回路の一実施例を示す構成図である。フロントライト１７の構成は、図９に示すように、バックライト１１と同様に光源用白色ＬＥＤ１１１と導光板１７２から成っており、下側にある反射式液晶表示装置１８に光を照射するための導光板１７２のフレネル面は上側に設けられている。
【００１９】
以下、環境照度を検出してから、フロントライト１７の制御特性を算出するまでの一連の動作例について図９〜図１１を参照しながら説明する。
図１０は本発明の第２の実施例にかかる通信端末装置の制御回路による輝度制御回路の制御特性例を示すテーブルであり、環境照度とフロントライト輝度制御回路１０内の抵抗Ｒ１〜Ｒ４の対応、及び明るさを示す。図１０のテーブルにおいて、Ｎｏ．１の条件は環境照度が０〜１０（ｌｘ）のとき、抵抗Ｒ１を選択するものとする。また、Ｎｏ．２の条件は環境照度が１１〜１００（ｌｘ）のとき抵抗Ｒ３を選択するものとする。また、Ｎｏ．３の条件は環境照度が１０１〜１０００（ｌｘ）のとき抵抗Ｒ４を選択するものとする。また、１００１（ｌｘ）〜１００００（ｌｘ）の時は抵抗Ｒ３を選択するよう設定したとする。また、Ｎｏ．５の条件は環境照度が１０００１（ｌｘ）以上の時は抵抗を選択せず、即ち消灯するよう設定する。上述の各条件におけるフロントライト１７の輝度は許容最大輝度を１００％とすると、Ｒ１選択時には２５％、Ｒ２選択時には５０％、Ｒ３選択時には７５％、Ｒ４選択時に１００％の輝度になるよう抵抗Ｒ１〜Ｒ４の値を設定しておくものとする。但し、本実施例では、Ｒ２は選択されないように構成されている。
【００２０】
次に制御回路９での抵抗Ｒ１〜Ｒ４を選択するためのフローについて、図１１を用いて説明する。
図１１は本発明の第２の実施例にかかる通信端末装置の制御回路による輝度制御回路の制御処理動作の一実施例を示すフローチャートである。図１１において、ステップ１１０１で、まず、環境照度検出回路１６の出力が”０〜１０（ｌｘ）”かどうか判定を行い、Ｙｅｓの場合は、ステップ１１０２で、輝度制御回路１０に対して抵抗Ｒ１（２５％輝度）を選択するよう指示する。Ｎｏの場合には、ステップ１１０３に移行して、環境照度検出回路１６の出力が”１１〜１００（ｌｘ）”かどうか判定を行い、Ｙｅｓの場合は、ステップ１１０４で、輝度制御回路１０に対して抵抗Ｒ３（７５％輝度）を選択するよう指示する。Ｎｏの場合には、ステップ１１０５に移行して、環境照度検出回路１６の出力が”１０１〜１０００（ｌｘ）”かどうか判定を行い、Ｙｅｓの場合は、ステップ１１０６で、輝度制御回路１０に対して抵抗Ｒ４（１００％輝度）を選択するよう指示する。Ｎｏの場合には、ステップ１１０７に移行して、環境照度検出回路１６の出力が”１００１（ｌｘ）〜１００００”かどうか判定を行い、Ｙｅｓの場合は、ステップ１１０８で、輝度制御回路１０に対して抵抗Ｒ３（７５％輝度）を選択するよう指示する。Ｎｏの場合には、ステップ１１０９で、“１０００１以上”かどうかを判断し、Ｙｅｓの場合は、フロントライト１７よりも十分明るい外光が得られると判断して、ステップ１１１０で、抵抗を選択せずフロントライト１７を消灯させる。即ち何もしない。Ｎｏの場合は異常な値が検出されたとして、エラー終了するか、再度、環境照度検出回路１６の出力を再度取得して処理を数回やり直しても良い。
【００２１】
このように、輝度制御回路１０を制御することによって、図１２に示す特性のフロントライト輝度（％）を得ることができる。
図１２は本発明の第２の実施例にかかる環境照度と輝度の特性例を示す特性図であり、横軸に環境照度（ｌｘ）を、縦軸にフロントライト輝度（％）を示す。このように制御回路９が輝度制御回路１０を制御することにより、図１２に示すように環境照度の上昇に従って、１０（ｌｘ）以下の暗い環境では低輝度で目に優しく、１０００（ｌｘ）までは環境照度の増加に応じてバックライト１１の輝度も増加させているため、良好な画像表示が可能となる。また、本実施例では、反射式液晶表示装置１８を使用しているため、ある程度外光が強くなると、それを画像光として利用できるため、フロントライト１７の輝度を７５％に設定している。さらに、１０００１（ｌｘ）以上の環境照度条件においては外光のみで良好は画像表示が可能なため、フロントライト１７を消灯することにより消費電力を低減することができる。
以上説明したようにフロントライト１７の明るさを制御することにより、環境照度に応じて適切な明るさで画像を観視することができ、連続使用時間の長時間化が可能となる。
【００２２】
次に、本発明による通信端末装置の第３の実施例について図１３〜図１７を用いて説明する。
図１３は本発明の第３の実施例にかかる通信端末装置の構成例を示すブロック図である。図１４は本発明の第３の実施例にかかる通信端末装置に使用される半透過反射式液晶表示装置の一実施例を示す側面図である。
本発明の第１の実施例は透過式液晶表示装置６を使用する場合の例であるのに対し、本実施例は半透過反射式の液晶表示装置１９を使用する場合の例である。図１４に示す半透過反射式の液晶表示装置１９の構成例をもちいて、画像表示を行う原理について説明する。尚、図２と同一部分には同一符号を付して重複する説明は省略する。図１４において、１９１は透過光用の孔を設けた拡散反射板である。図中の薄墨を施した部分が拡散反射を行う部分、白抜きの部分が透過光用の孔を表している。外光が少なく暗い環境では孔を透過してきた画像光による表示が主体となり、逆に外光が十分ある明るい環境では拡散反射板１９１の拡散反射部分での反射による表示が主体となる。
このような半透過反射式の液晶表示装置１９を使用する場合には図１５に示すような低照度から中照度にかけては環境照度の増加に伴ってバックライト１１の輝度を増加させ、中照度から高照度にかけては外光を照明光として使用できることから、環境照度の増加に伴ってバックライト１１の輝度を減少させるような制御が適している。
【００２３】
以下、環境照度を検出してから、バックライト１１の制御特性を算出するまでの一連の動作例について図１５〜図１７を参照しながら説明する。
図１５は本発明の第３の実施例にかかる通信端末装置の制御回路による輝度制御回路の制御特性例を示すテーブルである。図１６は本発明の第３の実施例にかかる通信端末装置の制御回路による輝度制御回路の制御処理動作の一実施例を示すフローチャートである。図１７は本発明の第３の実施例にかかる環境照度とバックライト輝度の特性例を示す特性図であり、横軸に環境照度（ｌｘ）を、縦軸にバックライト輝度（％）を示す。
図１５において、Ｎｏ．１の条件は環境照度が０〜１０（ｌｘ）のとき抵抗Ｒ２を選択するものとする。第１の実施例と選択する抵抗が異なるのは液晶表示装置６の透過率が異なるためである。本実施例においては、半透過反射式の液晶表示装置は拡散反射板の孔の部分しか光を透過しないので、拡散反射板を持たない透過式の液晶表示装置に比べて透過率が低いため、バックライト１１の輝度を高めに設定している。Ｎｏ．２の条件は環境照度が１１〜１００（ｌｘ）のとき抵抗Ｒ３を選択するものとする。また、Ｎｏ．３の条件は環境照度が１０１〜１０００（ｌｘ）のとき抵抗Ｒ４を選択するものとする。また、Ｎｏ．４の条件は環境照度が１００１〜１００００（ｌｘ）のとき抵抗Ｒ３を選択するものとする。また、Ｎｏ．５の条件は環境照度が１０００１（ｌｘ）以上の時はバックライトを消灯するよう設定する。上述の各条件におけるバックライト１１の輝度はバックライト１１の許容最大輝度を１００％とすると、Ｒ２選択時には５０％、Ｒ３選択時には７５％、Ｒ４選択時に１００％の輝度になる。なお、本実施例では、抵抗Ｒ１は選択されないが、Ｒ１を選択した場合には２５％の輝度になる。本実施例ではこのような輝度になるように抵抗Ｒ１〜Ｒ４の値を設定しておくものとする。
【００２４】
次に制御回路９での抵抗Ｒ１〜Ｒ４を選択するための処理動作について、図１６を用いて説明する。まず、ステップ１６０１で、環境照度検出回路の出力が”０〜１０（ｌｘ）”かどうか判定を行い、Ｙｅｓの場合は、ステップ１６０２に移行して、輝度制御回路１０に対して抵抗Ｒ２（５０％輝度）を選択するよう指示する。Ｎｏの場合には、ステップ１６０３で、環境照度検出回路の出力が”１１〜１００（ｌｘ）”かどうか判定を行い、Ｙｅｓの場合は、ステップ１６０４に移行して、バックライト輝度制御回路１０に対して抵抗Ｒ３（７５％輝度）を選択するよう指示する。Ｎｏの場合には、ステップ１６０５で、環境照度検出回路の出力が”１０１〜１０００（ｌｘ）”かどうか判定を行い、Ｙｅｓの場合は、ステップ１６０６に移行して、バックライト輝度制御回路１０に対して抵抗Ｒ４（１００％輝度）を選択するよう指示する。Ｎｏの場合には、ステップ１６０７で、環境照度検出回路の出力が”１００１〜１００００（ｌｘ）”かどうか判定を行い、Ｙｅｓの場合は、ステップ１６０７に移行して、バックライト輝度制御回路１０に対して抵抗Ｒ３（７５％輝度）を選択するよう指示する。
Ｎｏの場合には、ステップ１６０９で、環境照度検出回路の出力が”１０００１（ｌｘ）以上”かどうか判定を行い、Ｙｅｓの場合は、ステップ１６１０に移行して、バックライト輝度制御回路１０に対して抵抗を選択しない、即ち消灯するよう指示する。万一、Ｎｏの場合には異常な値が検出されたと判断して何もせず、エラー終了か、再度、環境照度検出回路１６の出力を再度取得して処理を数回やり直す。
【００２５】
このように制御回路９が輝度制御回路１０を制御することにより、図１７に示すように１００（ｌｘ）以下の条件においては環境照度の増加に伴ってバックライト１１の輝度を増加させ、１００１〜１００００（ｌｘ）の条件においては外光を照明光として使用できることから、環境照度の増加に伴ってバックライト１１の輝度を減少させることにより環境照度が変化しても良好な画像観視が可能である。さらに、１０００ｌｘ以上の明るい環境においてはバックライト１１を消灯しても良好な画像表示が可能となる。以上説明したようにバックライト１１の明るさを制御することにより、環境照度に応じて適切な明るさで画像を観視することができ、連続使用時間の長時間化が可能となる。
尚、本実施例では孔の空いた拡散反射板１９１を使用した場合の例について述べたが、これに限られるものでなく、半透明な拡散反射板を用いても良い。また、透過式液晶表示装置６の下側偏光板６５にフィルム状の拡散反射板を貼り付けたものであっても良いし、バックライト１１側に貼り付けても良い。
【００２６】
以下、本発明による第４の実施例について、図１８を用いて説明する。
図１８は本発明の第４の実施例にかかる通信端末装置の構成例を示すブロック図である。本発明の第１の実施例は主に画像を表示している場合の輝度制御回路１０の制御特性例について説明したが、本実施例では、主に文字を表示する場合の例について説明する。本実施例において、文字を表示しているか、画像を表示しているかの判定は図１８に示すように、制御回路６内部に設けられた表示内容判定部６１にて行うものとする。
一般に、画像は中間調を含んでいるため、外光がオフセットとして加算されると中間調の識別が困難になる。従って、外光に負けないようにバックライト１１の輝度を増加させた方が画像の見映えが良くなる。しかし、中間調を含まない白黒の文字や図形を表示させている場合には画像を表示している時ほど、バックライト１１の輝度を向上しなくても問題無いため、バックライト１１の輝度を制限し、連続使用時間を増加させることが可能である。
【００２７】
以下、文字表示状態において環境照度を検出してから、バックライト１１の制御特性を算出するまでの一連の動作例について図１９〜図２１を参照しながら説明する。
図１９は本発明の第４の実施例にかかる通信端末装置の制御回路による輝度制御回路の制御特性例を示すテーブルである。図２０は本発明の第４の実施例にかかる通信端末装置の制御回路による輝度制御回路の制御処理動作の一実施例を示すフローチャートである。図２１は本発明の第４の実施例にかかる通信端末装置の環境照度とバックライト輝度の特性例を示す特性図であり、横軸に環境照度（ｌｘ）を、縦軸にバックライト輝度（％）を示す。
図１９に示すように、Ｎｏ．１の条件は環境照度が０〜１０（ｌｘ）のとき抵抗Ｒ１を選択するものとする。Ｎｏ．２の条件は環境照度が１１〜１００（ｌｘ）のとき抵抗Ｒ２を選択するものとする。また、Ｎｏ．３の条件は環境照度が１０１〜１０００（ｌｘ）のとき抵抗Ｒ２を選択するものとする。また、Ｎｏ．４の条件は１００１〜１００００（ｌｘ）の時は抵抗Ｒ２を選択する。また、Ｎｏ．５の条件は１０００１（ｌｘ）以上の時は抵抗Ｒ２を選択するよう設定する。上述の各条件におけるバックライト１１の輝度はバックライト１１の許容最大輝度を１００％とすると、Ｒ１選択時には２５％、Ｒ２選択時には５０％となる。なお、本実施例では、抵抗Ｒ３、Ｒ４は選択されていないが、Ｒ３選択時には７５％、Ｒ４選択時に１００％の輝度になるように抵抗Ｒ１〜Ｒ４の値を設定しておくものとする。
【００２８】
次に、制御回路９での抵抗Ｒ１〜Ｒ４を選択するためのフローを図２０を用いて説明する。図に示すように、まず、ステップ２００１で、環境照度検出回路の出力が”０〜１０（ｌｘ）”かどうか判定を行い、Ｙｅｓの場合は、ステップ２００２に移行して、輝度制御回路１０に対して抵抗Ｒ１（２５％輝度）を選択するよう指示する。Ｎｏの場合には、ステップ２００３で、環境照度検出回路の出力が”１１〜１００（ｌｘ）”かどうか判定を行い、Ｙｅｓの場合は、ステップ２００４に移行して、バックライト輝度制御回路１０に対して抵抗Ｒ２（５０％輝度）を選択するよう指示する。Ｎｏの場合には、ステップ２００５で、環境照度検出回路の出力が”１０１〜１０００（ｌｘ）”かどうか判定を行い、Ｙｅｓの場合は、ステップ２００６に移行して、バックライト輝度制御回路１０に対して抵抗Ｒ２（５０％輝度）を選択するよう指示する。Ｎｏの場合には、ステップ２００７で、環境照度検出回路の出力が”１００１〜１００００（ｌｘ）”かどうか判定を行い、Ｙｅｓの場合は、ステップ２００８に移行して、バックライト輝度制御回路１０に対して抵抗Ｒ２（５０％輝度）を選択するよう指示する。Ｎｏの場合には、ステップ２００９で、環境照度検出回路の出力が”１０００１（ｌｘ）以上”かどうか判定を行い、Ｙｅｓの場合は、ステップ２０１０に移行して、バックライト輝度制御回路１０に対して抵抗Ｒ２（５０％輝度）を選択するよう指示する。ステップ２００９において、万一、Ｎｏの場合には異常な値が検出されたと判断して何もせず、エラー終了か、再度、環境照度検出回路１６の出力を再度取得して処理を数回やり直す。
【００２９】
このように制御回路９が輝度制御回路１０を制御することにより、図２１に示すように０〜１０（ｌｘ）ではバックライト１１の輝度を２５％とし。１１（ｌｘ）以上は全て５０％輝度に制限した制御が可能となる。このように文字や図形等の中間調を含まない表示を行っている時にバックライト１１の輝度を制限することにより、実用に支障なく、連続使用時間を長時間化することができ、例えば、メールを書いたり、読んだりする時間を延ばすことができる。
【００３０】
以下、本発明による通信端末装置の第５の実施例について図２２を用いて説明する。
図２２は本発明の第５の実施例にかかる通信端末装置の構成例を示すブロック図である。上述の実施例は表示装置に液晶表示装置を使用する場合の例であるのに対し、本実施例は有機ＥＬディスプレイ１３を使用する場合の例である点が上述の実施例と異なる。図１と同一部分には同一符号を付し、重複する説明は省略する。図２２において、１３は有機ＥＬディスプレイ、１４は階調電圧発生回路である。
【００３１】
有機ＥＬディスプレイの構成例を、図２３を用いて説明する。
図２３は本発明の第５の実施例にかかる通信端末装置に使用される有機ＥＬディスプレイの一構成例を示す側面図である。図において、１３１は偏光板、１３２はガラス基板、１３３は画素部、１３４は酸化防止剤、１３５は封止ガラスである。
以下、画像表示原理について説明する。図において、画素部１３３に画像情報に応じた電流を流すことにより画像光が発生し、ガラス基板１３２及び、偏光板１３１を通じて出射されることにより、画像表示が可能となる。偏光板１３１は入射した外光が出射されるのを防止し、外光入射によるコントラスト劣化を防ぐ役割を果す。画素部１３３には有機材料が塗布されており、これらが酸化するのを防止するため、酸化防止剤１３４を注入し、封止ガラス１３５で密閉している。また、有機ＥＬディスプレイ１３は自発光型の表示装置であるため、バックライト１１やフロントライト１７等の照明用光源を必要としない。従って、輝度を制御するために、階調電圧発生回路１４の電源電圧を制御する場合の例について説明する。
図２４は本発明による通信端末装置の階調電圧発生回路の一実施例を示す構成図である。図において、Ｖ１〜Ｖ４は電圧源、１４５はセレクタ、Ｒ１４１〜Ｒ１４４は抵抗である。また、セレクタ１４５とＲ１４４の接続点の電圧を第４の階調電圧、Ｒ１４４とＲ１４３の接続点の電圧を第３の階調電圧、Ｒ１４３とＲ１４２の接続点の電圧を第２の階調電圧、Ｒ１４２とＲ１４１の接続点の電圧を第１の階調電圧とする。セレクタ１４５は制御回路９の指示に基づき、階調電圧発生回路１４の電圧源Ｖ１〜Ｖ４を切り換えることにより、画素部１３３に流れる画像電流の基になる第１〜第４の階調電圧を制御する。
【００３２】
以下、環境照度を検出してから、階調電圧発生回路１４の制御特性を算出するまでの一連の動作例について図２５〜図２７を参照しながら説明する。
図２５は本発明の第５の実施例にかかる通信端末装置の制御回路による階調電圧発生回路の制御特性例を示すテーブルである。図２６は本発明の第５の実施例にかかる通信端末装置の制御回路による階調電圧発生回路の制御処理動作の一実施例を示すフローチャートである。図２７は本発明の第５の実施例にかかる環境照度と最大輝度の特性例を示す特性図であり、横軸に環境照度（ｌｘ）を、縦軸に最大輝度（ｃｄ／ｍ２）を示す。
図２５に示すように、Ｎｏ．１の条件は環境照度が０〜１０（ｌｘ）のとき電源Ｖ１を選択するものとする。また、Ｎｏ．２の条件は環境照度が１１〜１００（ｌｘ）のとき電源Ｖ２を選択するものとする。また、Ｎｏ．３の条件は環境照度が１０１〜１０００（ｌｘ）のとき電源Ｖ３を選択するものとする。また、Ｎｏ．４の条件は、環境照度が１００１（ｌｘ）以上の時は電源Ｖ４を選択するよう設定したとする。上述の各条件における有機ＥＬディスプレイ１３の許容最大輝度を１００％とすると、Ｖ１選択時には２５％、Ｖ２選択時には５０％、Ｖ３選択時には７５％、Ｖ４選択時に１００％の輝度になるよう電源Ｖ１〜Ｖ４の値を設定しておくものとする。
【００３３】
次に、制御回路９での電源Ｖ１〜Ｖ４を選択するための処理動作について、図２６を用いて説明する。図に示すように、まず、ステップ２６０１で、環境照度検出回路１６の出力が”０〜１０（ｌｘ）”かどうか判定を行い、Ｙｅｓの場合は、ステップ２６０２に移行して、階調電圧発生回路１４に対して電源Ｖ１（２５％輝度）を選択するよう指示する。Ｎｏの場合には、ステップ２６０３で、環境照度検出回路１６の出力が”１１〜１００（ｌｘ）”かどうか判定を行い、Ｙｅｓの場合は、ステップ２６０４で、階調電圧発生回路１４に対して電源Ｖ２（５０％輝度）を選択するよう指示する。Ｎｏの場合には、ステップ２６０５で、環境照度検出回路の出力が”１０１〜１０００（ｌｘ）”かどうか判定を行い、Ｙｅｓの場合は、ステップ２６０６に移行して、階調電圧発生回路１４に対して電源Ｖ３（７５％輝度）を選択するよう指示する。Ｎｏの場合には、ステップ２６０７で、環境照度検出回路の出力が”１００１（ｌｘ）以上”かどうか判定を行い、Ｙｅｓの場合は、ステップ２６０８に移行して、階調電圧発生回路１４に対して電源Ｖ４（１００％輝度）を選択するよう指示する。万一、ステップ２６０７で、Ｎｏの場合には異常な値が検出されたと判断して何もせず、エラー終了か、再度、環境照度検出回路１６の出力を再度取得して処理を数回やり直しても良い。
【００３４】
このように制御回路９が階調電圧発生回路１４を制御することにより、図２７に示すように環境照度に応じて有機ＥＬディスプレイ１３の最大輝度を制御し、適切な明るさでの画像表示が可能となる。さらに、１０００（ｌｘ）以下の暗い環境では有機ＥＬディスプレイ１３の消費電力を低減することができ、使用時間を延ばすことが可能となる。
【００３５】
【発明の効果】
以上述べたように、本発明による通信端末装置によれば、周囲の明るさに応じて表示装置の明るさを制御することができるため、常に良好な画像観視が可能となる。
また、バックライト、フロントライト、または階調電圧発生回路の消費電力を低減することができるため、連続使用時間を長時間化することができる。
【図面の簡単な説明】
【図１】本発明の第１の実施例にかかる通信端末装置の構成例を示すブロック図である。
【図２】本発明の第１の実施例にかかる通信端末装置に使用される透過式液晶表示装置の一実施例を示す側面図である。
【図３】本発明の第１の実施例にかかる通信端末装置に使用されるバックライト及び輝度制御回路の一実施例を示す構成図である。
【図４】本発明の第１の実施例にかかる通信端末装置の制御回路による輝度制御回路の制御特性の一実施例を示すテーブルである。
【図５】本発明の第１の実施例にかかる通信端末装置の制御回路による輝度制御回路の制御処理動作の一実施例を示すフローチャートである。
【図６】本発明の第１の実施例にかかる環境照度とバックライト輝度の特性例を示す特性図である。
【図７】本発明の第２の実施例にかかる通信端末装置の構成例を示すブロック図である。
【図８】本発明の第２の実施例にかかる通信端末装置に使用される反射式液晶表示装置の一実施例を示す側面図である。
【図９】本発明の第２の実施例にかかる通信端末装置のフロントライト及び輝度制御回路の一実施例を示す構成図である。
【図１０】本発明の第２の実施例にかかる通信端末装置の制御回路による輝度制御回路の制御特性の一実施例を示すテーブルである。
【図１１】本発明の第２の実施例にかかる通信端末装置の制御回路による輝度制御回路の制御処理動作の一実施例を示すフローチャートである。
【図１２】本発明の第２の実施例にかかる環境照度とフロントライト輝度の特性例を示す特性図である。
【図１３】本発明の第３の実施例にかかる通信端末装置の構成例を示すブロック図である。
【図１４】本発明の第３の実施例にかかる通信端末装置に使用される半透過反射式液晶表示装置の一実施例を示す側面図である。
【図１５】本発明の第３の実施例にかかる通信端末装置の制御回路による輝度制御回路の制御特性例を示すテーブルである。
【図１６】本発明の第３の実施例にかかる通信端末装置の制御回路による輝度制御回路の制御処理動作の一実施例を示すフローチャートである。
【図１７】本発明の第３の実施例にかかる環境照度とバックライト輝度の特性例を示す特性図である。
【図１８】本発明の第４の実施例にかかる通信端末装置の構成例を示すブロック図である。
【図１９】本発明の第４の実施例にかかる通信端末装置の制御回路による輝度制御回路の制御特性例を示すテーブルである。
【図２０】本発明の第４の実施例にかかる通信端末装置の制御回路による輝度制御回路の制御処理動作の一実施例を示すフローチャートである。
【図２１】本発明の第４の実施例にかかる通信端末装置の環境照度とバックライト輝度の特性例を示す特性図である。
【図２２】本発明の第５の実施例にかかる通信端末装置の構成例を示すブロック図である。
【図２３】本発明の第５の実施例にかかる通信端末装置に使用される有機ＥＬディスプレイの一構成例を示す側面図である。
【図２４】本発明による通信端末装置の階調電圧発生回路の一実施例を示す構成図である。
【図２５】本発明の第５の実施例にかかる通信端末装置の制御回路による階調電圧発生回路の制御特性例を示すテーブルである。
【図２６】本発明の第５の実施例にかかる通信端末装置の制御回路による階調電圧発生回路の制御処理動作の一実施例を示すフローチャートである。
【図２７】本発明の第５の実施例にかかる環境照度と最大輝度の特性例を示す特性図である。
【符号の説明】
１…アンテナ、２…無線回路、３…符号復号処理回路、４…マイク、５…レシーバ、６…液晶表示装置、６１…表示内容判定部、７…キー入力装置、８…メモリ、９…制御回路、１０…輝度制御回路、１１…バックライト、１３…有機ＥＬディスプレイ、１４…階調電圧発生回路、１５…スピーカ、１６…環境照度検出回路、１７…フロントライト、１８…反射式液晶表示装置、１９…半透過反射式液晶表示装置。
【図１】
2004096593.tif 000003
【図２】
2004096593.tif 000004
【図３】
2004096593.tif 000005
【図４】
2004096593.tif 000006
【図５】
2004096593.tif 000007
【図６】
2004096593.tif 000008
【図７】
2004096593.tif 000009
【図８】
2004096593.tif 000010
【図９】
2004096593.tif 000011
【図１０】
2004096593.tif 000012
【図１１】
2004096593.tif 000013
【図１２】
2004096593.tif 000014
【図１３】
2004096593.tif 000015
【図１４】
2004096593.tif 000016
【図１５】
2004096593.tif 000017
【図１６】
2004096593.tif 000018
【図１７】
2004096593.tif 000019
【図１８】
2004096593.tif 000020
【図１９】
2004096593.tif 000021
【図２０】
2004096593.tif 000022
【図２１】
2004096593.tif 000023
【図２２】
2004096593.tif 000024
【図２３】
2004096593.tif 000025
【図２４】
2004096593.tif 000026
【図２５】
2004096593.tif 000027
【図２６】
2004096593.tif 000028
【図２７】
2004096593.tif 000029